【事件の表示】
　特許第３１４４５３０号「油性ボールペン用インキ」の請求項１ないし４に係る特許に対する特許異議の申立てについて、次のとおり決定する。
【結　論】
　訂正を認める。
　特許第３１４４５３０号の請求項１ないし３に係る特許を維持する。
【理　由】
Ｉ．手続の経緯
　本件特許第３１４４５３０号の発明は、平成６年１１月８日に出願され、平成１３年１月５日にその特許の設定登録がなされ、その後、ペんてる株式会社より特許異議の申立てがあり、平成１３年１２月２７日付けで取消理由通知がなされ、その指定期間内である平成１４年３月１８日に訂正請求がなされたものである。
　
ＩＩ．訂正の適否
（ＩＩ−１）訂正事項
ａ．特許請求の範囲の請求項１（２カ所）、請求項２及び請求項４に記載の、各「ボールペン用インキ」を各々「油性ボールペン用インキ」と訂正する。
ｂ．発明の名称及び段落【０００１】に記載の「ボールペン用インキ」（２カ所）を「油性ボールペン用インキ」と訂正し、段落番号【０００２】に記載の「いわゆる有機溶剤をベースとしたインキでは」を「いわゆる有機溶剤をベースとした油性インキでは」に、段落番号【０００３】に記載の「ボールペンインキ」、「書き味のすぐれたインキ」を夫々「油性ボールペンインキ」、「書き味のすぐれた油性インキ」に、段落番号【０００４】及び【０００５】に記載の各「溶剤および添加剤とからなるボールペン用インキ」を夫々「溶剤および添加剤とからなる油性ボールペン用インキ」に、段落番号【００２９】に記載の「ボールペン用インキ」を「油性ボールペン用インキ」に訂正する。
ｃ．特許請求の範囲の請求項３を削除する。
ｄ．請求項４を請求項３と訂正し、段落番号【０００５】に記載の「本発明のボールペン用インキの製法は、…・混入することからなる。」とあるのを削除する。
　
（ＩＩ−２）訂正の目的の適否、新規事項の有無、及び特許請求の範囲の拡張・変更の存否について
　訂正事項ａは、特許請求の範囲に記載の「ボールペン用インキ」を「油性ボ−ルペン用インキ」に限定するものであり、訂正事項ｃは請求項の一つを削除するものであるから、いずれも、特許請求の範囲の減縮に該当する。
　訂正事項ｂ、ｄは、訂正事項ａに係る特許請求の範囲の訂正に伴い、発明の名称および発明の詳細な説明の記載を、特許請求の範囲の記載と整合させるものであり、明りょうでない記載の釈明に該当するものである。
　そして、訂正事項ａ〜ｄは、願書に添付された明細書に記載した事項の範囲内のものであり、実質上特許請求の範囲を拡張、又は変更するものではない。
　
（ＩＩ−３）むすび
　以上のとおりであるから、上記訂正は、特許法第１２０条の４第３項において準用する平成６年改正法による改正前の特許法第１２６条第１項ただし書および第２項の規定に適合するので、当該訂正を認める。
　
ＩＩＩ．特許異議申立てについて
（ＩＩＩ−１）本件発明
　本件請求項１乃至３に係る発明は、上記訂正が認められるので、訂正明細書の特許請求の範囲に記載された次のとおりのものである。
【請求項１】着色剤、樹脂、溶剤及び添加剤とからなる油性ボールペン用インキにおいて、球状シリコーン樹脂微粒子を含有してなる油性ボールペン用インキ。
【請求項２】前記球状シリコーン樹脂微粒子は、直径が１．０〜１０μｍ、真比重が１．２〜１．４ｇ／ｃｍ３である請求項１記載の油性ボールペン用インキ。
【請求項３】請求項１もしくは２記載の油性ボールペン用インキを充てんしてなるボールペン。
　
（ＩＩＩ−２）異議申立人の主張
　異議申立人は、甲第１号証乃至甲第５号証を提示し、訂正前の本件請求項１乃至４に係る発明は、甲第１号証乃至甲第５号証に記載された発明に基いて当業者が容易に発明をすることができたものであるから、特許法第２９条第２項の規定により特許を受けることができないものであると主張している。
　
（ＩＩＩ−３）甲各号証に記載の発明
甲第１号証（特開平２ー２３３７８５号公報）：
「着色剤、樹脂、及び溶剤等を含むインク組成物中に、平均粒径が１０〜１０００ナノメ一トルで給油量が５０ｃｃ／１００ｇ以上のストラクチャーの大きい粉体を全インク組成物中０．１〜１０．０％の割合で添加し、且つ不揮発性溶剤を全溶剤中１０〜１００％の割合で添加してなるボールペン用インク。」（特許請求の範囲）、
「本発明において添加する粉体としては、カーボンブラック等の無機顔料や、アゾ系もしくはフタロシアニン系等の有機顔料などそれ自体が着色剤として使用されるもの、又は黒鉛、フッ化黒鉛、六方晶窒化ホウ素などのそれ自体にはあまり着色力がないものなどが任意に選択でき、単独でも又は２種以上混合しても使用することができる。」（２頁右上欄１１行〜同頁左下欄３行）、
「本発明においてインクの粘度を調整するために含ませる樹脂としては、通常のボールペンインクに使用されているケトン樹脂、スルフォアミド樹脂、マレイン酸樹脂、エステルガム、キシレン樹脂、アルキッド樹脂、ロジン樹脂、ポリビニルピロリドン等が使用可能である。」（２頁右下欄７〜１２行）、
「本発明では、平均粒径が１０〜１０００ナノメ一トルで給油量が５０ｃｃ／１００ｇ以上のストラクチャーの大きい粉体を全インク組成物中０．１〜１０．０％の割合て添加することによって高温高湿下の保存中におけるボールペンチップ先端部からの吹き出し現象を抑える作用がある。」（３頁左上欄５〜１１行）。
　
甲第２号証（特開昭６３−２５６６６９号公報）：
「（１）染料及び液媒体からなるインキ組成物に、更に球状樹脂粒子を含有させたことを特徴とするボールペン用インキ組成物。・・・（４）染料が油溶性染料であり、液媒体が有機溶剤である特許請求の範囲第（１）項に記載のボールペン用インキ組成物。」（特許請求の範囲参照）、
「本発明は、ボールペン用インキに関し、更に詳しく云えば、染料及び液媒体からなるインキに、球状樹脂粒子を含有させることにより、書き出し時のインキの出がスムーズであり、連続筆記においても描線の飛びがなく、滑らかな筆記が可能で、更に長時間使用してもボールの摩耗などにより筆記不能にならないボールペン用インキ組成物に関するものである。」（産業上の利用分野の欄）、
「本発明で使用する球状樹脂粒子とは．インキの液媒体に不溶性であり且つ被膜を形成せず、粒子径が００１〜１．０μｍの比較的粒子径の揃った白色、無色又は有色の樹脂粒子であり、一般的にプラスチックピグメントと称されている。このような樹脂としては、ポリスチレン、ポリメチルメタクリレート、ボリ‐８‐塩化ビニル，ペンゾグアナミン樹脂，エポキシ樹脂或いはα，β‐モノエチレン性不飽和単量体をエマルジョン重合や懸濁重合して得られるもの等が挙げられる。」（３頁左上欄１〜１４行）、
「本発明のボールペン用インキ組成物を構成する液媒体は、水性インキの場合は・・・である。又、油性インキの場合には、グリセリン、ベンジルアルコール、エチレングリコール、・・・ヘキシレングリコール、ジエチレングリコールモノフェニルエーテル等が使用される。」（３頁左上欄１５行〜同頁右上欄１０行参照）。
　
甲第３号証（特開昭６１一６０７６８号公報）：
「着色剤と水と水溶性有機溶剤と粘度調節剤と粒度が０．０５〜６．０μの高分子球状微粒子とから少なくともなり、インキ粘度が５０〜２０００センチポイズ（２５℃）の範囲とした事を特徴とするボールペン用インキ。」（特許請求の範囲）、
「高分子球状微粒子は本発明のボールペン用インキに筆跡滲み防止及び、滑らかな筆記感を付与する目的で使用するもので、ポリスチレン、ポリプロピレン、塩化ビニル、ポリメチルメタクリレート、ベンゾグアナミン、ナイロンなどの材質よりなる球状微粒子が適しており、真球に近く、二次粒子を含まないことが望ましい。」（３頁右上欄３〜１０行）。
　
甲第４号証（特開平４ー２３９５６９号公報）：
「水性ビヒクル中に顔料及ひ剥離剤が分散又は溶解されてなる筆記板用マーキングペンインキにおいて、前記剥離剤が（Ａ）ジカルポン酸とポリアルキレングリコールモノアルキルエーテルのジエステル、脂肪酸とポリアルキレングリコールモノアルキルエーテルのエステル、ポリアルキレングリコールと脂肪酸のジエステル、ポリエーテル変性シリコーンオイルから選ばれる１種以上の化合物及び（Ｂ）シリコーンパウダーとの組み合わせであることを特徴とする筆記板用水性マーキングペンインキ。」（特許請求の範囲）、
「本発明による水性マーキングペンインキによる筆記板面上の筆跡は、未乾燥状態における拭き消しでも筆跡中で可動状態にあるシリコーンパウダーの優れた潤滑作用によるためか、板面を汚染することなく乾式消去材による擦過できれいに拭き取られる。」（６欄３６〜４０行）。
　
甲第５号証（ＰＲＯＤＵＣＴ　ＤＡＴＡ　シリコーン樹脂微粉末、東芝シリコーン株式会社発行「トスパ−ル」カタログ、１９８８年５月）：
「トスパール」はシリコーン樹脂微粉末であり、真比重（２５℃）が１．３２で、平均粒径２、３、４．５μの真球状のトスパール１２０，１３０，１４５と平均粒径４の不定形のトスパール２４０があり、インキの配合剤としての用途があることが記載されている。
　
（ＩＩＩ−４）当審の判断
　本件請求項１〜３に係る発明は、「球状シリコーン樹脂微粒子を含有してなる油性ボールペン用インキ」という構成（以下、本件構成Ａという。）を採用することにより、ボールペンチップ先端部における吹き出し現象（直流現象）を防止するという、明細書に記載されたとおりの効果（以下、本件効果という。）を奏し得たものである。
　これに対して、甲第１〜５号証には、前記本件構成Ａ、および当該構成の採用により前記本件効果が奏されることの記載も示唆もない。
　すなわち、甲第１号証には、ボールペン用インクにおいて、前記吹き出し現象を防止するべく無機顔料や有機顔料等の粉体を用いることが記載されているものの、当該粉体として樹脂微粒子を使用することの記載はなく、更に限定された球状シリコーン樹脂微粒子を使用することが記載又は示唆されているとすることはできない。
甲第２号証には、前記した内容からみて、油性ボールペン用インキにおいて、書き出し時のインキの出、描線の飛び、滑らかな筆記、ボールの摩耗などを改善する目的で、球状樹脂微粒子を添加することが記載されていると解されるものの、当該樹脂微粒子として球状シリコーン樹脂微粒子を用いることを示唆する記載はなく、球状シリコーン樹脂微粒子が前記吹き出し現象の防止に有効であることを示す記載もない。
甲第３号証には、水性ボールペン用インキにおいて、筆跡滲み防止や滑らかな筆記感を付与する目的で高分子球状微粒子を用いることが記載されているものの、油性ボールペン用インキについての記載はなく、当該球状微粒子として球状シリコーン樹脂微粒子を用いるとの記載もない。
甲第４号証には、水性マーキングペンインキにおいて、乾式消去材による擦過できれいに拭き取ることができるようにシリコーンパウダーを用いることが記載されているものの、油性ボールペンインキについての記載はなく、当該シリコンパウダーが油性ボールペンインキにおける前記吹き出し現象の防止に有効であることを示す記載もない。
甲第５号証には、球状シリコーン樹脂微粒子をインキに配合しうることが記載されているものの、当該インキの詳細は不明であり、甲第５号証の記載が、当該球状シリコーン樹脂微粒子を前記吹き出し現象の防止等が要求される油性ボールペンインキに用いること、さらには、油性ボールペンインキにおける前記吹き出し現象を有効に防止できることを示しているとすることはできない。
　したがって、本件請求項１〜３に係る発明は、甲第１〜５号証に記載された発明に基づいて当業者に容易に発明することができたものではなく、特許法第２９条第２項の規定により特許を受けることができないものであるとすることができない。
　
（ＩＩＩ−５）むすび
　以上のとおりであるから、特許異議申立ての理由および証拠をもっては、本件の請求項１〜３に係る発明の特許を取り消すことはできない。
　また、他に本件の請求項１〜３に係る発明の特許を取り消すべき理由を発見しない。
　よって、結論のとおり決定する。
【異議決定日】
平成１４年１０月２８日（２００２．１０．２８）
【訂正の要旨】
訂正の要旨
ａ．特許請求の範囲の請求項１（２カ所）、請求項２及び請求項４に記載の、各「ボールペン用インキ」を各々「油性ボールペン用インキ」と訂正する。
ｂ．発明の名称及び段落【０００１】に記載の「ボールペン用インキ」（２カ所）を「油性ボールペン用インキ」と訂正し、段落番号【０００２】に記載の「いわゆる有機溶剤をベースとしたインキでは」を「いわゆる有機溶剤をベースとした油性インキでは」に、段落番号【０００３】に記載の「ボールペンインキ」、「書き味のすぐれたインキ」を夫々「油性ボールペンインキ」、「書き味のすぐれた油性インキ」に、段落番号【０００４】及び【０００５】に記載の各「溶剤および添加剤とからなるボールペン用インキ」を夫々「溶剤および添加剤とからなる油性ボールペン用インキ」に、段落番号【００２９】に記載の「ボールペン用インキ」を「油性ボールペン用インキ」に訂正する。
ｃ．特許請求の範囲の請求項３を削除する。
ｄ．請求項４を請求項３と訂正し、段落番号【０００５】に記載の「本発明のボールペン用インキの製法は、…・混入することからなる。」とあるを削除する。
（５４）【発明の名称】
油性
（５７）【特許請求の範囲】
　【請求項１】　着色剤、樹脂、溶剤及び添加剤とからなる
油性
油性
　【請求項２】　前記球状シリコーン樹脂微粒子は、直径が１．０〜１０μｍ、真比重が１．２〜１．４ｇ／ｃｍ３である請求項１記載の
油性
　
【請求項３】
油性
【発明の詳細な説明】
　【０００１】
　【産業上の利用分野】
　本発明は
油性
油性
　【０００２】
　【従来の技術】
　従来の一般的なボールペンインキは、着色剤、樹脂、潤滑剤、溶剤などによって構成されている。通常の温度・湿度条件下ではボールペンチップ先端部からのインキの自然流出、いわゆる吹き出し現象（以下、直流と表現する）はほとんど問題がないが、高温・高湿度の環境でペン先を下に向けて置くと容易に直流現象が発生する。
　さらに、一般的なボールペンインキは数千〜１万ｍＰａ・Ｓとかなり高粘度であるため、書き味が重い。書き味の向上のために粘度を数千〜数百ｍＰａ・Ｓに下げると直流が常温下でも発生する。直流現象を防止する方法として、特開平２−２３３７８５では、平均粒径が０．０１〜１μｍで吸油量が５０ｃｃ／１００ｇ以上のストラクチャーの大きな粉体を添加する方法が提案されているが、比較的低い粘度のインキとした場合、完全には直流現象を防止できない。水をベースにしたインキでは、特開昭６２−５０１９１４のように剪断減粘性を付与して直流を防止することが容易であるが、水を使わない、いわゆる有機溶剤をベースとした油
性
　【０００３】
　【発明が解決しようとする課題】
　本発明の目的はこれら従来の
油性
油性
　【０００４】
　【課題を解決するための手段】
　本発明は、着色剤、樹脂、溶剤および添加剤とからなる
油性
　【０００５】
　すなわち、本発明の着色剤、樹脂、溶剤および添加剤とからなる
油性
　【０００６】
　本発明のインキに用いる球状シリコーン樹脂微粒子は、シロキサン結合が三次元に伸びた網状構造で、けい素原子に１個のメチル基が結合した分子構造を有するポリシロキサン形状の微粒子である。その平均粒子径は１〜１０．０μｍ、好ましくは２〜５μｍである。平均粒子径が１μｍ未満の場合は目詰まり効果が弱くなり過ぎ、１０μｍをこえる場合強い目詰まりにより、筆記性が悪化するので、好ましくない。
　真比重は１．２〜１．４ｇ／ｃｍ３が好ましい。１．２未満であるとインキ中に分散しているだけになり、１．４をこえると先端への沈殿量が多くなり過ぎるので好ましくない。カサ比重は０．２５〜０．４６が好ましい。
　該微粒子のインキ中の含有量は０．２〜７重量％好ましくは２〜４重量％である。インキ中の含有量が少ないと直流現象防止効果が小さく、逆に多くなるとインキ流出量が低下して、描線濃度がうすくなるので好ましくない。
　好ましく用いることができる球状シリコーン樹脂微粒子の具体例としては、東芝シリコーン（株）製の“トスパール１０５”、“トスパール１２０”、“トスパール１３０”、“トスパール１４５”、“トスパール３１２０”などが示される。これらの球状微粒子は真球状であり、平均粒子径０．５〜１２．０μｍ、含水率（１０５°、６０分）５％以下、ｐＨ７．５、真比重（２５℃）１．３２、カサ比重０．２〜０．４６、比表面積１８〜７０ｍ２／ｇ、アマニ油吸油量５０〜９５ｍｌ／１００ｇの性質を有するものである。
　【０００７】
　本発明の油性ボールペン用インキに用いる着色剤は、通常、筆記具や塗料用インキに使用される染料や顔料が使用することが可能である。染料としては、塩基性染料、酸性染料、直接染料などはもちろん可溶化やマイクロカプセル化したものなどでも構わない。例えば、バリファストブラック＃１８０２、同＃１８０５、同＃３８２０、バリファストバイオレット＃１７０１、バリファストイエローＡＵＭ、同＃３１０４、スピロンバイオレットＣ−ＲＨ、スピロンブラックＣＭＨｓｐｅｃｉａｌ、スピロンイエローＣ−ＧＮＨ、スピロンオレンジＧＲＨ、スピロンレッドＢＥＨ、オーラミン、ローダミン、メチルバイオレット、マラカイトグリーン、クリスタルバイオレット、ビクトリアブルーＢＯＨなどが挙げられる。また、顔料としては、無機顔料や有機顔料をそのまま用いても良いし、樹脂や界面活性剤などで表面改質した加工顔料や分散トナーを使用しても構わない。
　例えば、酸化チタン、カーボンブラック、フタロシアニン系、アゾ系、アンスラキノン系、キナクリドン系、マイクロリースカラー（チバガイギー（株）製）、フジＡＳカラー（富士色素（株）製）などがあげられる。添加量については特に制限はなく着色剤の溶解度や分散力に応じた量又は所望の色相や濃度に適した量であれば良い。含有量はインキ中１０〜４０重量％である。
　【０００８】
　有機溶媒としては、具体的にはベンジルアルコール、フェノキシエタノール、プロピレングリコール、ジプロピレングリコール、ジエチレングリコールモノエチルエーテル、プロピレングリコールモノフェニルエーテル、エチレングリコールモノブチルエーテル、トリエチレングリコールモノブチルエーテル、トリプロピレングリコールモノメチルエーテル、トリプロピレングリコールモノブチルエーテルなどがあげられる。また、アジピン酸オクチル、セバシン酸ジブチル、セバシン酸ジオクチル、グリセリン、ポリプロピレングリコール（分子量４００〜７００）、グリセリン誘導体（たとえばポリオキシプロピルトリオール、日本油脂社製“ユニオールＴＧ−１０００”、“ユニオールＴＧ−２０００”など）などがあげられる。
　【０００９】
　さらに、エチレングリコールモノフェニルエーテル、エチレングリコールモノベンジルエーテル、エチレングリコールモノα−メチルベンジルエーテル、エチレングリコールモノαα′ジメチルベンジルエーテル、エチレングリコールモノメチルフェニルエーテル異性体混合物、エチレングリコールモノジメチルフェニルエーテル異性体混合物、エチレングリコールモノエチルフェニルエーテル異性体混合物、エチレングリコールモノメチルベンジルエーテル異性体混合物、エチレングリコールモノエチルベンジルエーテル異性体混合物、エチレングリコールモノシクロヘキシルエーテル、エチレングリコールモノメンチルエーテル、エチレングリコールモノジヒドロα−テルビニルエーテル、プロピレングリコールモノフェニルエーテル、プロピレングリコールモノベンジルエーテル、プロピレングリコールモノシクロヘキシルエーテル、プロピレングリコールモノテルビニルエーテル、
　【００１０】
　ジエチレングリコールモノフェニルエーテル、ジエチレングリコールモノベンジルフェニルエーテル、ジエチレングリコールモノエチルフェニルエーテル、エチレングリコールモノエチルベンジルエーテル、ジエチレングリコールモノシクロヘキシルエーテル、ジエチレングリコールモノメンチルエーテル、ジエチレングリコールモノジヒドロα−テルビニルエーテル、ジプロピレングリコールモノフェニルエーテル、ジプロピレングリコールモノペンジルエーテル、ジプロピレングリコールモノシクロヘキシルエーテル、ジプロピレングリコールモノテルビニルエーテルなどがあげられる。これらの溶剤は使用量はインキ中６０〜９５重量％である。
　【００１１】
　本発明に係るボールペンインキの添加剤として、樹脂、防腐剤、増粘剤、防錆剤、潤滑剤などの油性インキに慣用されている助剤から選んで配合する。
　【００１２】
　たとえば、樹脂としては、通常の油性ボールペンインキに慣用されている樹脂、例えばケトン樹脂、スルフォアミド樹脂、マレイン酸樹脂、エステルガム、キシレン樹脂、アルキッド樹脂、フェノール樹脂、ロジン、ポリビニルブチラール、ポリビニルピロリドンなどが用いられる。これらの樹脂は単独で用いてもよいし、２種以上混合して用いてもよく、その配合量は、インキ組成物全量に対して、０．１〜２０．０重量％範囲である。これらの樹脂は描線の耐水性や固着性などの向上や粘度の調整などの作用をする。
　【００１３】
　増粘剤としては、ＮＬケミカルズ（株）製“ベントンＳＤ−２”、“ベントン２７”、日産ガードラー触媒社製“ＴＩＸＯＧＥＬ　ＶＺ”、“ＴＩＸＯＧＥＬ　ＥＺ”、ＳＵＤ化学製“ＥＸ−０１０１”などの有機ベントナイト、日本アエロジル（株）製“アエロジル３８０”、“アエロジルＣＯＫ８４”、水澤化学製“ミズカシルＰ−８０１”などのシリカ系、共栄社油脂化学工業製“ターレンＶＡ−１００”、“ＶＡ−５００”、“ＶＡ−８００”、伊藤製油製“ＡＳＡ　Ｔ−１”、“ＡＳＡ　Ｔ−５１”、“ＡＳＡ　Ｔ−３５０Ｆ”、その他脂肪酸ポリアミドなどが添加される。
　【００１４】
　本発明のボールペン用インキの製造方法は、各種の方法が採用できる。上記のインキ含有成分を配合し、ボールミル、ホモミキサー、ビーズミル、高速ディスパーなどの分散機により、混合あるいは分散することが代表的である。
　球状シリコーン樹脂微粒子の添加方法は、混合・分散時に添加してもよいし、混合・分散処理後でもよく、特に限定しない。
　【００１５】
　本発明のボールペンは、ボール、チップホルダーからなるペン先、インキ収容管、チップと該収容管をつなぐ継ぎ手、ペン軸などから構成され、該インキ収容管に前記した本発明のボールペン用インキを充填したものである。
　【００１６】
　【作用】
　ボールペンのチップ先端におけるボールとそれを支持するホルダーとの間隙は一般的に数μｍ〜１５μｍである。ペン先を下向きにした場合、インキは重力により、その間隙から流れだそうとする。
　本発明のボールペン用インキは先端のインキの流出がなく、直流現象がない。これは球状のシリコーン樹脂微粒子を含有しているために生ずるペン先でのゆるやかな目詰まり現象のためである。
　さらに、本発明のインキは滑らかでかつカスレのない筆跡が得られる。これはシリコーン樹脂微粒子が球状でかつ微粒子であることから、筆記に際しては、ごく軽い筆圧で目づまりがくずれ、インキが容易に流出するためである。
　【００１７】
　【実施例】
　実施例によって本発明をさらに詳細に説明する。
　試験に用いたボールペンは、内径２．０ｍｍのポリプロピレン製インキ収容管とステンレスチップ（ボールは超硬合金で、直径０．７ｍｍ）を有するもので、実施例、比較例で得られたインキを充填し、下記の評価を行った。
　【００１８】
１）直流現象防止性
　所定のインキを充填したボールペン１０本をペン先を下にして、温度５０℃、湿度８０％の恒温・恒湿槽に３日間放置した後、直流の程度を調べ、ほとんどないものを◎、わずかにあるものを○、少し多いものを△、非常に多いものを×として評価。
２）カスレ長さ
　直流を評価したものと同じボールペンを用いて、室温にもどした後、フリーハンドにて筆記して、書き初めのカスレ長さが０ｍｍを◎、５ｍｍ以下を○、５〜３０ｍｍを△、３０ｍｍ以上を×として判定。
３）粘度
　Ｅ型粘度計による２５℃における１０回転の値である。
　【００１９】
実施例Ａ１〜Ａ９（顔料インキ）
　　着色剤　カーボンブラック＊１　　　　　　　　　　　　　　　１５重量％
　　溶　剤　▲１▼トリプロピレングリコールモノブチルエーテル（表１参照）
　　　　　　▲２▼ベンジルアルコール　　　　　　　　　　　　　１５重量％
　　樹脂類　▲１▼ポリビニルブチラール＊２　　　　　　　　　　　　３　〃
　　　　　　▲２▼ポリビニルピロリドン＊３　　　　　　　　　　０．５　〃
　　添加剤　▲１▼脂肪酸アミド　　　　　　　　　　　　　　　　　　２　〃
　　　　　　▲２▼リン酸エステル　　　　　　　　　　　　　　　０．５　〃
　　　　　　▲３▼ベンゾトリアゾール　　　　　　　　　　　　　０．５　〃
　　シリコーン樹脂粒子＊４　　　　　　　　　　　　　　　　　（表１参照）
　　　＊１　“カーボンブラックＭＡ−１００”〔三菱化成（株）製〕
　　　＊２　“エスレックＢＬ−１”〔積水化学（株）製〕
　　　＊３　“ＰＶＰ　Ｋ−３０”〔ＢＡＳＦ製〕
　　　＊４　“トスパール”〔東芝シリコーン（株）製〕
　上記合計１００重量％の配合により、高速ディスパーで撹拌した後、ビーズミルにて分散を行ない、濾過工程を経て黒色のインキを得た。このインキを充填した所定のボールペンによる評価結果を表１に示す。
　【００２０】
　【表１】
　【００２１】
比較例−１
　球状シリコーン樹脂微粒子を添加せず、トリプロピレングリコールを６３．５重量％とする以外は、実施例Ａと同様にして黒色インキを得た。
　【００２２】
比較例−２
　球状粒子ではなく、不定形のシリコーン樹脂粒子（“トスパール２４０”）を使用する以外は実施例Ａ２、Ａ５またはＡ８と同様にして黒色インキを得た。
　【００２３】
実施例Ｂ１〜Ｂ９（染料インキ）
　　着色剤　▲１▼黒色染料＊７　　　　　　　　　　　　　　　　　２０重量％
　　　　　　▲２▼紫色染料＊８　　　　　　　　　　　　　　　　　１０　〃
　　溶　剤　▲１▼フェノキシエタノール　　　　　　　　　　　　　２５　〃
　　　　　　▲２▼トリエチレングリコールモノブチルエーテル（表２参照）
　　　　　　▲３▼ベンジルアルコール　　　　　　　　　　　　　　１０重量％
　　樹　脂　▲１▼ポリビニルピロリドン＊３　　　　　　　　　　　　５　〃
　　　　　　▲２▼ケトン樹脂＊９　　　　　　　　　　　　　　　　　５　〃
　　添加剤　▲１▼ステアリン酸　　　　　　　　　　　　　　　　０．５　〃
　　　　　　▲２▼ベンゾトリアゾール　　　　　　　　　　　　　０．５　〃
　　シリコーン樹脂粒子　　　　　　　　　　　　　　　　　　（表２参照）
　　　＊３　実施例Ａと同じ。
　　　＊７　“バリファーストブラック＃１８０２”〔オリエント化学（株）製〕
　　　＊８　“スピロンバイオレットＣＲＨ”〔保土谷化学（株）製〕
　　　＊９　“ハイラック１１０”〔日立化成（株）製〕
　シリコーン樹脂粒子を除いた上記各成分を混合し６０℃の温度で加熱撹拌を行ない、その後、上記配合が１００重量％となるようにシリコーン樹脂粒子を添加して再度撹拌し、濾過を行ない黒色のインキを得た。結果を表２に示す。
　【００２４】
比較例−３
　球状シリコーン樹脂微粒子を添加せず、およびトリエチレングリコールモノブチルエーテル２４重量％とする以外は、実施例Ｂと同様にしてインキを得た。
　【００２５】
　【表２】
　【００２６】
実施例Ｃ（染料、高粘度タイプインキ）
　　着色剤　▲１▼染料＊７　　　　　　　　　　　　　　　　　　　　２０重量％
　　　　　　▲２▼染料＊８　　　　　　　　　　　　　　　　　　　　１０　〃
　　　　　　▲３▼染料＊１１　　　　　　　　　　　　　　　　　　　　５　〃
　　溶　剤　▲１▼フェノキシエタノール　　　　　　　　　　　　　　２５　〃
　　　　　　▲２▼プロピレングリコール　　　　　　　　　　　　　　　８　〃
　　　　　　▲３▼ベンジルアルコール　　　　　　　　　　　　　　　１０　〃
　　樹　脂　▲１▼ポリビニルピロリドン＊３　　　　　　　　　　　　　８　〃
　　　　　　▲２▼ケトン樹脂＊９　　　　　　　　　　　　　　　　　１０　〃
　　添加剤　▲１▼オレイン酸　　　　　　　　　　　　　　　　　　０．５　〃
　　　　　　▲２▼ベンゾトリアゾール　　　　　　　　　　　　　　０．５　〃
　　シリコーン樹脂粒子＊１２　　　　　　　　　　　　　　　　　　３　〃
　　＊７　“バリファーストブラック＃１８０２”〔オリエント化学（株）製〕
　　＊８　“スピロンバイオレットＣＲＨ”〔保土谷化学（株）製〕
　　＊１１　“バリファースイエローＡＵＭ”（オリエント化学（株）製〕
　　＊３，＊９　表２に同じ。
　　＊１２　“トスパール１３０”〔東芝シリコーン（株）製〕
　上記合計１００重量％の配合にて、６０℃の温度でディスパーにより加熱撹拌を行ない、濾過して粘度１０，０００ｍＰａ・Ｓの黒色インキを得た。
　【００２７】
比較例−４
　トスパール１３０を０％にし、プロピレングリコールを１１％にした以外は実施例Ｃと同様にしてインキを得た。
　【００２８】
　【表３】
　【００２９】
　【発明の効果】
　本発明は、ボールペンのチップ先端部におけるインキ吹き出し現象が生じない。また筆跡のカスレのない
油性